(57)【要約】【課題】  バストが膨らみ始める前でも身体にフィットするとともに、バストを保護し、かつ、バストの成長に追随できる、胸部サポート衣類を提供する。【解決手段】  本発明の胸部サポート衣類は、胸部サポート衣類であって、前身頃１０１および後身頃１０３を含み、前身頃１０１は、平面状のクッション材１０１Ｂを含み、クッション材１０１Ｂには、バストトップを中心に、バストトップを囲むように複数のスリット１０４が設けられていることを特徴とする。【選択図】  図１
2013083026.tif 000002
【特許請求の範囲】
【請求項１】
胸部サポート衣類であって、
前身頃および後身頃を含み、
前記前身頃は、平面状のクッション材を含み、
前記クッション材には、バストトップを中心に、バストトップを囲むように複数のスリットが設けられていることを特徴とする、胸部サポート衣類。
【請求項２】
前記複数のスリットにより、複数の環形状が形成され、前記複数の環形状が、バストトップ中心からバスト周辺部に向かって、小さい環形状から大きい環形状になるように形成されていることを特徴とする、請求項１記載の胸部サポート衣類。
【請求項３】
前記複数の環形状の外周が、略八角形を呈していることを特徴とする、請求項２記載の胸部サポート衣類。
【請求項４】
前記複数のスリットにより、渦巻き形状が形成され、前記渦巻き形状は、バストトップを中心とし、かつ、バストトップからバスト周辺部に向かって広がる形状であることを特徴とする、請求項１記載の胸部サポート衣類。
【請求項５】
前記複数のスリットにより、バスト下部において、略Ｖ字形状が形成されていることを特徴とする、請求項１から４のいずれか一項に記載の胸部サポート衣類。
【請求項６】
前記クッション材が、ウレタンフォームであることを特徴とする、請求項１から５のいずれか一項に記載の胸部サポート衣類。
【発明の詳細な説明】
【技術分野】
【０００１】
本発明は、胸部サポート衣類に関する。
【背景技術】
【０００２】
近年、バストの膨らみが形成される成長段階からブラジャーを着用する例が増加している。成長段階のバストは、大人のバストと比較すると、張り及び硬さがある、またはバージスラインがあいまいであるなどの特徴を有する。また、成長段階のバストは、段階に応じて形状が変化する。このため、大人用のブラジャーとは別に、成長段階のバストの特徴を考慮して設計されたブラジャーが提案されている。例えば、特許文献１には、バストが下部から成長してくることを考慮し、カップ下側部材とカップ上側部材とを縫着してカップ部を形成し、カップ下側部材の伸びをカップ上側部材の伸びよりも大とするブラジャーが提案されている。
【先行技術文献】
【特許文献】
【０００３】
【特許文献１】特開２００５−１３９５９２号公報
【発明の概要】
【発明が解決しようとする課題】
【０００４】
バストの成長過程において、バストが膨らむ前段階として、バストトップ周りが大きくなり始める。そして、この時期は、刺激で痛みを感じることもある。そのため、バストが全く膨らんでいない状態からバストトップが膨らみ始める段階においても、バストを保護する必要がある。しかし、従来のブラジャーは、バストがある程度膨らみ始めてからの着用を想定したものであった。
【０００５】
図９に、バストの成長過程の図を示す。図９（ａ）は、バストの成長の第１ステップを示す図である。図示のように、バストは、バストトップ周りから大きくなり始める。次に、図９（ｂ）は、バストの成長の第２ステップを示す図である。図示のように、第２ステップでは、バスト下部が大きくなり、バストの輪郭がわかるようになる。次に、図９（ｃ）は、バストの成長の第３ステップを示す図である。図示のように、第３ステップになると、バスト全体が大きくなり、大人のバストに近づいていく。これまで、前記第１ステップから第３ステップの各段階を対象としたブラジャーは提供されていたが、前記第１ステップの前の段階（バストが全く膨らんでいない段階）から第１ステップに移行する時期にかけての着用に適した胸部サポート衣類は存在しなかった。そして、バストが全く膨らんでいない時期に、従来品のようにカップ部が立体的に形成されているブラジャーを着用すると、身体にフィットしないため、動くとずれる、擦れるという問題があった。また、バストは日々成長するため、バストが全く膨らんでいない状態にブラジャーがフィットするだけではなく、バストが膨らみ始めても、バストの成長に追随できる必要があった。
【０００６】
そこで、本発明は、バストが膨らみ始める前でも身体にフィットするとともに、バストを保護し、かつ、バストの成長に追随できる、胸部サポート衣類を提供する。
【課題を解決するための手段】
【０００７】
前記目的を達成するために、本発明の胸部サポート衣類は、
胸部サポート衣類であって、
前身頃および後身頃を含み、
前記前身頃は、平面状のクッション材を含み、
前記クッション材には、バストトップを中心に、バストトップを囲むように複数のスリットが設けられていることを特徴とする。
【発明の効果】
【０００８】
本発明の胸部サポート衣類は、前身頃に平面状のクッション材を含んでいるので、バストが全く膨らんでいない状態においても身体にフィットする。また、前記前身頃はクッション材を含むため、膨らみ始めたバストトップを保護することができる。そして、本発明の胸部サポート衣類は、前記クッション材に、両バストトップを中心に、バストトップを囲むようにスリットが入っているため、バストの成長に追随して、前身頃をカップ状に立体的に変化させることができる。
【図面の簡単な説明】
【０００９】
【図１】図１（ａ）は、本発明の第１の実施形態に係る胸部サポート衣類１００の正面図である。図１（ｂ）は、本発明の第１の実施形態に係る胸部サポート衣類１００の斜視図である。
【図２】図２は、前記第１の実施形態に係る胸部サポート衣類におけるスリットの形状のその他の例を示す図である。
【図３】図３は、前記第１の実施形態に係る胸部サポート衣類の着用状態を示す図である。
【図４】図４（ａ）、（ｂ）、（ｃ）、（ｄ）は、前記第１の実施形態に係る胸部サポート衣類における複数のスリットが形成する形状の変形例を示す図である。
【図５】図５は、本発明の胸部サポート衣類におけるスリットの形状のバリエーションを示す図である。
【図６】図６は、本発明の第２の実施形態に係る胸部サポート衣類の正面図である。
【図７】図７は、本発明の第３の実施形態に係る胸部サポート衣類の正面図である。
【図８】図８は、本発明の第４の実施形態に係る胸部サポート衣類の正面図である。
【図９】図９（ａ）、（ｂ）、（ｃ）は、バストの成長段階を示す図である。
【発明を実施するための形態】
【００１０】
本発明の胸部サポート衣類において、前記複数のスリットにより、複数の環形状が形成され、前記複数の環形状が、バストトップ中心からバスト周辺部に向かって、小さい環形状から大きい環形状になるように形成されていることが好ましい。
【００１１】
本発明の胸部サポート衣類について、例をあげて説明する。ただし、本発明は、以下の例に限定および制限されない。
【００１２】
（第１の実施形態）
図１に、本発明の第１の実施形態に係る胸部サポート衣類１００を示す。図１（ａ）は、胸部サポート衣類１００の正面図である。図１（ｂ）は、胸部サポート衣類１００の斜視図である。本実施形態の胸部サポート衣類１００は、前身頃１０１、一対の肩ストラップ１０２、後身頃１０３を備えた、バストが成長段階にある若年女性用（ジュニア用）のブラジャーとしての機能を有する。本実施形態においては、一対の肩ストラップ１０２は、前身頃１０１の上部に取り付けられている。
【００１３】
図１（ａ）および（ｂ）において、左側のバストを覆う部分は、構造を分かりやすくするために、表布を外した状態で図示している。前身頃１０１は、肌側と反対側から順に、表布１０１Ａ、クッション材１０１Ｂ、裏打ち布（図示せず）で構成されており、これらは互いに固着されている。非着用時において、前身頃は、平面状である。これにより、成長の初期の段階において、バストの膨らみが全くない状態でも、本発明は身体にしっかりフィットし、動きによってずれてしまうことを防ぐことができる。
【００１４】
図１（ａ）および（ｂ）に示すように、クッション材１０１Ｂには、バストトップＴを中心に、バストトップＴを囲むように、複数のスリット１０４が入っている。本実施形態において、クッション材１０１Ｂには、複数のスリット１０４により、複数の略ひし形の環形状が形成され、前記複数の環形状は、バストトップＴからバスト周辺部に向かって、小さい環形状から大きい環形状になるように形成されている。スリット１０４の各スリットは、直線状であることが好ましいが、これに限られず、曲線状であってもよい。
【００１５】
なお、本実施形態では、複数のスリット１０４が略ひし形の環形状を形成する例を挙げているが、本発明はこれに限定されるものではない。例えば、図２に示すように、スリット１０４が形成する複数の環形状の外周が、略八角形を呈するように、スリット１０４を刻設してもよい。
【００１６】
図３は、バストが膨らみ始めた時の着用状態におけるクッション材１０１Ｂの横から見た状態を、模式的に示した図である。図３に示すように、スリット１０４によって、バスト周辺のクッション材１０１Ｂはその他の部位よりも伸びやすくなる。そのため、クッション材１０１Ｂは、バストが膨らみ始めると、バストの形状に追随して立体のカップ状に変化する。図３は、バストトップ周りが大きくなり始めた段階の図であるため、バストトップ周りのスリットが開いてクッション材１０１Ｂが立体的になり、バストの形状に追随している。一方、バストが膨らんでいない部分のスリットは開かず、平面状のままである。このように、本発明は、バストがまだ膨らみ始めていない初期の段階から、ある程度膨らみ始める段階まで、フィット感を維持することができる。
【００１７】
なお、バストの膨らみが大きくなるにつれてバスト下部に汗をかきやすくなるが、着用状態におけるスリット１０４の開き具合も、バストの膨らみが大きくなるのに伴って大きくなり、通気性も高まる。このため、バスト下部が蒸れ難いというメリットもあり、ブラジャーに不慣れな人に好適である。
【００１８】
本発明において、スリット１０４の各スリットの長さは、特に制限されないが、３ｍｍ〜７ｍｍの範囲が好ましく、より好ましくは４ｍｍ〜６ｍｍの範囲、さらに好ましくは５ｍｍ程度である。また、スリット１０４が入る領域は、特に制限されないが、バストトップを中心に５ｃｍ〜１０ｃｍの範囲が好ましく、より好ましくは６ｃｍ〜８ｃｍの範囲、さらに好ましくは７ｃｍ程度である。
【００１９】
図１（ａ）および（ｂ）に示すように、本発明において、複数のスリット１０４は、バスト下部において、略Ｖ字形状を形成するように形成されていることが好ましい。これにより、スリットが互いに平行に形成されている場合よりも、クッション材１０１Ｂが伸びやすくなる。
【００２０】
本実施形態において、スリット１０４の各スリットは、等間隔で入っているが、本発明はこれに限られない。例えば、バストトップの次に膨らみ始めるのは、バスト下部であるため、バスト下部に位置する箇所がより伸びやすくなるように、バストトップより下の部分にスリットを多く入れてもよい。
【００２１】
本発明において、クッション材１０１Ｂの素材は、ウレタンフォームであることが好ましいが、本発明はこれに限定されない。クッション材１０１Ｂに使用する素材としては、ウレタンフォームの他、例えば、伸縮性のあるダブルラッセル、シリコン等が挙げられる。このように、前身頃にクッション材１０１Ｂを使用することにより、バストトップが膨らみ始め、刺激による痛みを感じるようになったバストを保護することができる。
【００２２】
本発明において、クッション材１０１Ｂの厚みは、２ｍｍ〜１０ｍｍの範囲が好ましく、より好ましくは２ｍｍ〜６ｍｍの範囲であり、さらに好ましくは２〜３ｍｍの範囲である。これにより、軽い着心地とバストの保護を同時に実現することができる。そして、スリット１０４は、クッション材１０１Ｂを打ち抜いて（貫通させて）形成されてもよいが、これに限られず、肌側面までは打ち抜かずに肌側と反対の面にのみ形成されてもよい。スリットの深さは、クッション材１０１Ｂの厚みに応じて決定することができる。また、例えば、バストトップ周辺およびバスト下部等の、バストの成長が早い部分にのみスリットを深くいれ、その他の部分はスリットを浅くする等、伸ばしたい部分に応じてスリットの深さを調節してもよい。
【００２３】
また、クッション材１０１Ｂは、肌側面および肌側と反対側の面の少なくとも一方の面に、さらに、皮膜状のシート材を貼り付けて形成してもよい。これにより、スリットの開き具合をより好適に調整することができる。
【００２４】
本実施形態において、前身頃１０１は、左右一体に形成されているが、本発明はこれに限られず、左右を別部材で構成し、固着してもよい。
【００２５】
表布１０１Ａ、肩ストラップ１０２、後身頃１０３に用いる素材は、特に制限されないが、例えば、弾性糸を用いた編地または生地等があげられる。中でも、ベア天竺が好ましい。また、裏打ち布に用いる素材は、例えば、伸縮性のある素材等があげられる。中でも、肌触りの良さの点から、ポリウレタン入りのツーウェイトリコットが好ましい。
【００２６】
ここで、肩ストラップ１０２は、前身頃１０１を肩から吊り下げるものであればよい。肩ストラップ１０２は、本実施形態のように、タンクトップのような幅の広い、いわゆるラウンドタイプのストラップには限定されず、例えば、紐または布テープであってもよい。また、肩ストラップ１０２の態様は、例えば、背中側で２本の肩ストラップ１０２が一体となり、後身頃１０３に取り付けられる態様であってもよい。また、肩ストラップ１０２は、前身頃１０１のみに取り付けられている、いわゆる「ホルターネック」タイプであってもよい。肩ストラップ１０２の取り付け位置は、デザインによって決定することができる。また、肩ストラップ１０２を有しない、ストラップレスの形態とすることもできる。
【００２７】
本実施形態において、クッション材１０１Ｂは、バストの周辺部は伸びずに固定されていることが好ましい。バストの成長時期は、バストが揺れることによっても痛みを感じることがある。そこで、バスト周辺部にはスリット１０４を設けないようにし、バストの周辺部は伸びないようにして固定することによって、バストが揺れるのを防ぐことができる。
【００２８】
図４（ａ）〜（ｄ）に、前記第１の実施形態に係る胸部サポート衣類１００における複数のスリット１０４が形成する形状の変形例を示す。
【００２９】
図４（ａ）に示すように、スリット１０４は、第１の実施形態と同様に、複数の略ひし形の環形状が形成されている。最も外側の略ひし形の環形状のさらに外側には、外郭が略正方形となるように、直線状に複数のスリットが形成されてもよい。前記環形状は、四角形に限られず、三角形、五角形や六角形等の多角形の角環でもよい。前記環形状が角環である場合は、前記略Ｖ字形状を形成し得る角部分が、バスト下部に形成されるように、スリット１０４を形成することが好ましい。また、前記環形状は、円環や楕円環であってもよく、図４（ｂ）に示すように、スリット１０４は、バストトップを中心に同心円状に形成されてもよい。
【００３０】
このように、本発明において、スリットにより形成される形状は、立体的に変形させたい形状に応じて様々な態様にすることができる。スリットにより形成される形状は、環形状に限られず、例えば、渦巻き形状であってもよい。前記渦巻き形状は、バストトップを中心とし、かつ、バストトップからバスト周辺部に向かって広がる形状とするとよい。前記渦巻き形状は、図４（ｃ）に示すような、角状の渦巻き形状であってもよいし、図４（ｄ）に示すように、円形の渦巻き形状であってもよい。前記渦巻き形状が、角状の渦巻き形状である場合は、前記略Ｖ字形状を形成し得る角部分が、バスト下部に形成されるように、スリット１０４を形成することが好ましい。
【００３１】
本実施形態において、スリット１０４の各スリットは、幅を有しない切り込み形状であるが、本発明はこれに限られない。図５に、本発明におけるスリットの形状のバリエーションを示す。図５（ａ）に示すように、本発明において、スリットには、幅があってもよい。図５（ｂ）は、図５（ａ）のΙ−Ιにおける断面図である。また、図５（ｃ）に示すように、スリットは貫通させずに、クッション材１０１Ｂの厚み方向の途中まで形成してもよい。図５（ｄ）に示すように、スリットは、クッション材の肌側面と肌側と反対の面の両方に形成してもよい。スリットの形成位置は、図５（ｅ）に示すような、互い違いになるように形成してもよい。図５（ｆ）に示すように、クッション材１０１Ｂに空洞部を設けてもよい。また、図５（ｇ）および（ｈ）に示すように、スリットは、その断面形状が、クッション材の肌側と反対の面が幅広で、肌側面に向かうにしたがい幅が狭くなる、楔形状であってもよい。スリットが幅を有している場合、その断面形状は、矩形状、楔形状、半円形状等の形状とすることができる。また、前述のように、スリットがクッション材を貫通していない場合には、図５（ｉ）または（ｊ）に示すように、スリットをつなげて直線状または曲線状に形成することもできる。
【００３２】
（第２の実施形態）
図６に、本発明の胸部サポート衣類の第２の実施形態に係る胸部サポート衣類２００を示す。同図において、左側のバストを覆う部分は、構造を分かりやすくするために、表布を外した状態で図示している。本実施形態においては、肩ストラップ２０２の一端は後身頃２０３の上部に取り付けられ、他端は、前身頃２０１の上辺部に取り付けられた円環、Ｚ環、エイト環などの係止具２０８Ａを通って反転し、エイト環からなる長さ調節具２０８Ｂに導入されることによって、肩ストラップ２０２の長さ調整が可能な状態で、前身頃２０１の上辺部に取り付けられている。その他は、第１の実施形態と同様である。肩ストラップ２０２の他端は、前身頃２０１の上辺部に直接固着されても良い。このように、本発明は、肩ストラップの取り付け方を変化させることによって、デザインのバリエーションを増やすことができる。
【００３３】
（第３の実施形態）
次に、図７に、本発明の胸部サポート衣類のその他の例である、第３の実施形態に係る胸部サポート衣類３００の正面図を示す。
【００３４】
本実施形態の胸部サポート衣類３００は、キャミソールとして使用することができる。この胸部サポート衣類３００のバスト部分は、図１で示した胸部サポート衣類１００とほぼ同一の概念のもとに設計されている。本実施形態においては、胸部サポート衣類３００は、前身頃１０１の下側に身頃３０１を有しているが、前面全体を身頃３０１で形成し、バスト部分の肌側にクッション材１０１Ｂおよび裏打ち布を配置する態様であってもよい。後者の場合、クッション材１０１Ｂおよび裏打ち布は、両脇側において身頃３０１と縫着されていると、縫着ラインが表布に出ないため、好ましい。
【００３５】
（第４の実施形態）
次に、図８に、本発明の胸部サポート衣類のその他の例である、第４の実施形態に係る胸部サポート衣類４００の正面図を示す。
【００３６】
本実施形態の胸部サポート衣類４００は、半そでシャツとして使用することができる。この胸部サポート衣類４００のバスト部分の肌側には、図１で示した胸部サポート衣類１００とほぼ同一概念のもとに設計されたクッション材１０１Ｂおよび裏打ち布が配置されている。本実施形態は、半そでシャツの態様であるため、同世代でブラジャーを着用している割合が少ないことにより、ブラジャーの着用に抵抗を感じる年代層の子どもであっても着用しやすい。このように、本発明は、様々なバリエーションの衣類に用いることができる。
【００３７】
以上、実施の形態の具体例として、ブラジャー、キャミソールおよび半そでシャツとして使用できる胸部サポート衣類をあげて本発明を説明したが、本発明の胸部サポート衣類は、これらの具体例で記載されたもののみに限定されるものではなく、種々の態様が可能である。例えば、上記の実施形態のようなファンデーション衣類以外にも、スリップ、水着、レオタード、その他各種の衣類に適用できる。
【産業上の利用可能性】
【００３８】
本発明の胸部サポート衣類は、種々の態様が可能である。例えば、上記の実施形態のようなファンデーション衣類以外にも、スポーツ衣類、アウターなど、各種の衣類に適用できる。
【符号の説明】
【００３９】
１００、２００  胸部サポート衣類（ブラジャー）
１０１、２０１  前身頃
１０１Ａ  表布
１０１Ｂ  クッション材
１０２、２０２  肩ストラップ
１０３、２０３  後身頃
１０４  スリット
２０８Ａ  係止具
２０８Ｂ  長さ調節具
３００  胸部サポート衣類（キャミソール）
３０１  身頃
４００  胸部サポート衣類（半そでシャツ）
Ｔ  バストトップ点
【図１】
2013083026.tif 000003
【図２】
2013083026.tif 000004
【図３】
2013083026.tif 000005
【図４】
2013083026.tif 000006
【図５】
2013083026.tif 000007
【図６】
2013083026.tif 000008
【図７】
2013083026.tif 000009
【図８】
2013083026.tif 000010
【図９】
2013083026.tif 000011